【手続補正書】
【提出日】平成21年7月24日(2009.7.24)
【手続補正１】
【補正対象書類名】明細書
【補正対象項目名】特許請求の範囲
【補正方法】変更
【補正の内容】
【特許請求の範囲】
【請求項１】  対応する符号化したビデオ・フレームの組を形成するために、時間的順序を有するビデオ・フレームの組を符号化するための方法であって、前記方法が、
前記組の特定のビデオ・フレームに関連する表示であって、前記時間的順序の特定の位置に発生する前記特定のビデオ・フレームが非時間的予測ビデオ・フレーム・フォーマットに符号化されるものであることと時間的予測ビデオ・フレーム・フォーマットにおいてフレーム予測の開始位置として使用されるものであることを示す、前記表示を受信するステップと、
前記特定のビデオ・フレームではなく前記非時間的予測ビデオ・フレーム・フォーマットに符号化される前記特定のビデオ・フレーム以外で、前記組のビデオ・フレームを選択するステップと、
前記選択されたビデオ・フレームを前記特定のビデオ・フレームではなく前記非時間的予測ビデオ・フレーム・フォーマットに符号化するステップと、
時間的順序において前記選択されたビデオ・フレームの前に発生する前記組のＮ個のビデオ・フレームを含むビデオ・フレームの第１のサブセットを、前記選択されたビデオ・フレームを時間的予測の開始位置として用いて時間的逆方向予測ビデオ・フレーム・フォーマットに符号化するステップと、
時間的順序において前記選択されたビデオ・フレームの後に発生する前記組のＭ個のビデオ・フレームを含むビデオ・フレームの第２のサブセットを、前記選択されたビデオ・フレームを時間的予測の開始位置として用いて時間的順方向予測ビデオ・フレーム・フォーマットに符号化するステップとを含み、
前記選択されたビデオ・フレームの前記選択は、前記符号化したビデオ・フレームの組の復号化時のエラー伝播の可能性を少なくする、ビデオ・フレームの前記第１および第２のサブセットの各予測経路の長さを提供することを特徴とする方法。
【請求項２】  請求項１に記載の方法において、前記非時間的予測ビデオ・フレーム・フォーマットが、ＩＮＴＲＡフレーム・フォーマットであることを特徴とする方法。
【請求項３】  請求項１に記載の方法において、前記第１のサブセットのビデオ・フレームをＩＮＴＥＲフレーム・フォーマットに符号化するステップを含むことを特徴とする方法。
【請求項４】  請求項１に記載の方法において、前記第１のサブセットのビデオ・フレームをＢフレーム・フォーマットに符号化するステップを含むことを特徴とする方法。
【請求項５】  請求項３に記載の方法において、前記第１のサブセットのビデオ・フレームの前記Ｎ個の各ビデオ・フレームにシーケンシャルな圧縮順序番号を割り当てるステップであって、前記第１のサブセットのビデオ・フレームの前記時間的順序において最も新しく発生するビデオ・フレームに最も小さな圧縮順序番号が割り当てられ、前記第１のサブセットのビデオ・フレームの前記時間的順序において最も先に発生するビデオ・フレームに最も大きな圧縮順序番号を割り当てるステップと、
前記選択されたビデオ・フレームを、前記最も小さな圧縮順序番号を持つ前記ビデオ・フレームをＩＮＴＥＲフレーム・フォーマットに符号化するための予測基準フレームとして表示するステップと、
圧縮順序番号の昇順に、ＩＮＴＥＲフレーム・フォーマットに前記第１のサブセットのビデオ・フレームのビデオ・フレームを符号化するステップと、によりビデオ・フレームの前記第１のサブセットを符号化するステップを含むことを特徴とする方法。
【請求項６】  請求項１に記載の方法において、前記第１のサブセットのビデオ・フレームの前記Ｎ個の各ビデオ・フレームに圧縮順序番号を割り当てるステップと、前記割り当てられた圧縮順序番号により決定された順序で前記Ｎ個のビデオ・フレームを符号化するステップとを含むことを特徴とする方法。
【請求項７】  請求項４に記載の方法において、前記選択されたビデオ・フレームを前記第１のサブセットのビデオ・フレームの前記Ｎ個の各ビデオ・フレームの予測基準フレームとして表示するステップと、
前記選択されたビデオ・フレームを参照してビデオ・フレームの前記第１のサブセットのビデオ・フレームを前記Ｂフレーム・フォーマットに符号化するステップと、により前記第１のサブセットのビデオ・フレームを符号化するステップを含むことを特徴とする方法。
【請求項８】  請求項１に記載の方法において、ビデオ・フレームの前記第２のサブセットの前記Ｍ個の各ビデオ・フレームにシーケンシャルな圧縮順序番号を割り当てるステップであって、前記第２のサブセットのビデオ・フレームの前記時間的順序において最も先に発生するビデオ・フレームに最も小さな圧縮順序番号が割り当てられ、前記第２のサブセットのビデオ・フレームの前記時間的順序において最も新しく発生するビデオ・フレームに最も大きな圧縮順序番号を割り当てるステップと、
前記選択されたビデオ・フレームを、前記最も小さな圧縮順序番号を持つ前記ビデオ・フレームをＩＮＴＥＲフレーム・フォーマットに符号化するための予測基準フレームとして表示するステップと、
圧縮順序番号の昇順に、ＩＮＴＥＲフレーム・フォーマットに前記第２のサブセットのビデオ・フレームのビデオ・フレームを符号化するステップと、により前記第２のサブセットのビデオ・フレームを符号化するステップを含む、ことを特徴とする方法。
【請求項９】  請求項１に記載の方法において、前記第２のサブセットのビデオ・フレームの前記Ｍ個の各ビデオ・フレームに圧縮順序番号を割り当てるステップと、前記割り当てられた圧縮順序番号により決定された順序で前記Ｍ個のビデオ・フレームを符号化するステップとを含むことを特徴とする方法。
【請求項１０】  請求項１に記載の方法において、シーン・カットを伴うＩＮＴＲＡフレーム要求を受信するステップを含み、前記ＩＮＴＲＡフレーム要求は前記特定のビデオ・フレームが前記非時間的予測ビデオ・フレーム・フォーマットに符号化されることを表示することを特徴とする方法。
【請求項１１】  請求項１に記載の方法において、周期的ＩＮＴＲＡフレーム要求を受信するステップを含み、前記周期的ＩＮＴＲＡフレーム要求は前記特定のビデオ・フレームが非時間的予測ビデオ・フレーム・フォーマットに符号化されることを表示することを特徴とする方法。
【請求項１２】  請求項１に記載の方法において、受信端末からフィードバックとしてＩＮＴＲＡフレーム更新要求を受信するステップを含み、前記ＩＮＴＲＡフレーム更新要求は前記特定のビデオ・フレームが非時間的予測ビデオ・フレーム・フォーマットに符号化されることを表示することを特徴とする方法。
【請求項１３】  請求項１に記載の方法において、
ビデオ・フレームの前記組のほぼ中間に発生するビデオ・フレームとして前記選択されたビデオ・フレームを選択するステップを含むことを特徴とする方法。
【請求項１４】  請求項１に記載の方法において、さらに、前記ビデオ・フレームの意図された再生順序に関する情報を提供するステップを含むことを特徴とする方法。
【請求項１５】  請求項１に記載の方法において、さらに、前記ビデオ・フレームの意図された再生時間に関する情報を提供するステップを含むことを特徴とする方法。
【請求項１６】  請求項１に記載の方法において、前記第１のサブセットのビデオ・フレームの連続するビデオ・フレーム間のＢフレームを符号化するステップを含むことを特徴とする方法。
【請求項１７】  請求項１に記載の方法において、前記第２のサブセットのビデオ・フレームの連続するビデオ・フレーム間のＢフレームを符号化するステップを含むことを特徴とする方法。
【請求項１８】  対応する符号化したビデオ・フレームの組を形成するために、時間的順序を有するビデオ・フレームの組を符号化するためのエンコーダであって、
前記エンコーダが、
前記組の特定のビデオ・フレームに関連する表示であって、前記時間的順序の特定の位置に発生する前記特定のビデオ・フレームが非時間的予測ビデオ・フレーム・フォーマットに符号化されるものであることと時間的予測ビデオ・フレーム・フォーマットにおいてフレーム予測の開始位置として使用されるものであることを示す、前記組の特定の表示を受信する手段と、
前記特定のビデオ・フレームではなく前記非時間予測ビデオ・フレーム・フォーマットに符号化される前記特定のビデオ・フレーム以外で前記組のビデオ・フレームを選択する手段と、
前記特定のビデオ・フレームではなく前記非時間的予測ビデオ・フレーム・フォーマットに前記選択されたビデオ・フレームを符号化する手段と、
前記時間的順序において前記選択されたビデオ・フレームの前に発生する前記組のＮ個のビデオ・フレームを含むビデオ・フレームの第１のサブセットを、前記選択されたビデオ・フレームを時間的予測の開始位置として用いて、時間的逆方向予測ビデオ・フレーム・フォーマットに符号化する手段と、
前記時間的順序において前記選択されたビデオ・フレームの後に発生する前記組のＭ個のビデオ・フレームを含むビデオ・フレームの第２サブセットを、時間的予測の開始位置として前記選択されたビデオ・フレームを用いて、時間的順方向予測ビデオ・フレーム・フォーマットに符号化する手段とを含み、
前記選択されたビデオ・フレームの前記選択は、前記符号化したビデオ・フレームの組の復号化時のエラー伝播の可能性を少なくする、ビデオ・フレームの前記第１および第２のサブセットの各予測経路の長さを提供することを特徴とするエンコーダ。
【請求項１９】  請求項１８に記載のエンコーダにおいて、前記非時間的予測ビデオ・フレーム・フォーマットが、ＩＮＴＲＡフレーム・フォーマットであることを特徴とするエンコーダ。
【請求項２０】  請求項１８に記載のエンコーダにおいて、第１のサブセットのビデオ・フレームを符号化する前記手段は、前記第１のサブセットのビデオ・フレームをＩＮＴＥＲフレーム・フォーマットに符号化するよう構成されることを特徴とするエンコーダ。
【請求項２１】  請求項１８に記載のエンコーダにおいて、第１のサブセットのビデオ・フレームを符号化する前記手段は、前記第１のサブセットのビデオ・フレームをＢフレーム・フォーマットに符号化するよう構成されることを特徴とするエンコーダ。
【請求項２２】  請求項１８に記載のエンコーダにおいて、第１のサブセットのビデオ・フレームを符号化する前記手段が、
前記第１のサブセットのビデオ・フレームの前記Ｎ個の各ビデオ・フレームにシーケンシャルな圧縮順序番号を割り当てる手段であって、前記第１のサブセットのビデオ・フレームの前記時間的順序において最も新しく発生するビデオ・フレームに最も小さな圧縮順序番号が割り当てられ、前記第１のサブセットのビデオ・フレームの前記時間的順序において最も先に発生するビデオ・フレームに最も大きな圧縮順序番号を割り当てる手段と、
前記選択されたビデオ・フレームを、前記最も小さな圧縮順序番号を持つ前記ビデオ・フレームをＩＮＴＥＲフレーム・フォーマットに符号化するための予測基準フレームとして表示する手段と、
圧縮順序番号の昇順に、ＩＮＴＥＲフレーム・フォーマットに前記第１のサブセットのビデオ・フレームのビデオ・フレームを符号化する手段とを含むことを特徴とするエンコーダ。
【請求項２３】  請求項１８に記載のエンコーダにおいて、第１のサブセットのビデオ・フレームを符号化する前記手段は、前記第１のサブセットのビデオ・フレームの前記N個の各フレームに圧縮順序番号を割り当てる手段と、前記割り当てられた圧縮順序番号により決定された順序で前記Ｎ個のフレームを符号化する手段とを含むことを特徴とするエンコーダ。
【請求項２４】  請求項２１に記載のエンコーダにおいて、第１のサブセットのビデオ・フレームを符号化する前記手段が、
前記選択されたビデオ・フレームを前記第１のサブセットのビデオ・フレームの前記Ｎ個の各ビデオ・フレームの予測基準フレームとして表示する手段と、
前記選択されたビデオ・フレームを参照して前記第１のサブセットのビデオ・フレームのビデオ・フレームを前記Ｂフレーム・フォーマットに符号化する手段とを含むことを特徴とするエンコーダ。
【請求項２５】  請求項１８に記載のエンコーダにおいて、第２のサブセットのビデオ・フレームを符号化する前記手段が、
前記第２のサブセットのビデオ・フレームの前記Ｍ個の各ビデオ・フレームにシーケンシャルな圧縮順序番号を割り当てる手段であって、前記第２のサブセットのビデオ・フレームの前記時間的順序において最も先に発生するビデオ・フレームに最も小さな圧縮順序番号が割り当てられ、前記第２のサブセットのビデオ・フレームの前記時間的順序において最も新しく発生するビデオ・フレームに最も大きな圧縮順序番号を割り当てる手段と、
前記選択されたビデオ・フレームを、前記最も小さな圧縮順序番号を持つ前記ビデオ・フレームをＩＮＴＥＲフレーム・フォーマットに符号化するための予測基準フレームとして表示する手段と、
圧縮順序番号の昇順に、ＩＮＴＥＲフレーム・フォーマットに前記第２のサブセットのビデオ・フレームのビデオ・フレームを符号化する手段とを含むことを特徴とするエンコーダ。
【請求項２６】  請求項１８に記載のエンコーダにおいて、第２のサブセットのビデオ・フレームを符号化する前記手段は、前記第２のサブセットのビデオ・フレームの前記Ｍ個の各ビデオ・フレームに圧縮順序番号を割り当てる手段と、前記割り当てられた圧縮順序番号により決定された順序で前記Ｍ個のビデオ・フレームを符号化する手段とを含むことを特徴とするエンコーダ。
【請求項２７】  請求項１８に記載のエンコーダにおいて、表示を受信する前記手段が、シーン・カットを伴うＩＮＴＲＡフレーム要求を受信するよう構成され、前記ＩＮＴＲＡフレーム要求は前記特定のビデオ・フレームが前記非時間的予測ビデオ・フレーム・フォーマットに符号化されることを表示することを特徴とするエンコーダ。
【請求項２８】  請求項１８に記載のエンコーダにおいて、表示を受信する前記手段が、周期的ＩＮＴＲＡフレーム要求を受信するよう構成され、前記周期的ＩＮＴＲＡフレーム要求は前記特定のビデオ・フレームが前記非時間的予測ビデオ・フレーム・フォーマットに符号化されることを表示することを特徴とするエンコーダ。
【請求項２９】  請求項１８に記載のエンコーダにおいて、表示を受信する前記手段が、受信端末からフィードバックとしてＩＮＴＲＡフレーム更新要求を受信するよう構成され、前記ＩＮＴＲＡフレーム更新要求は前記特定のビデオ・フレームが前記非時間的予測ビデオ・フレーム・フォーマットに符号化されることを表示することを特徴とするエンコーダ。
【請求項３０】  請求項１８に記載のエンコーダにおいて、前記選択する手段は、
ビデオ・フレームの前記組のほぼ中間に発生するビデオ・フレームとして前記選択されたビデオ・フレームを選択するよう構成されることを特徴とするエンコーダ。
【請求項３１】  請求項１８に記載のエンコーダにおいて、前記エンコーダはさらに、前記ビデオ・フレームの意図された再生順序に関する情報を提供する手段を含むことを特徴とするエンコーダ。
【請求項３２】  請求項１８に記載のエンコーダにおいて、前記エンコーダはさらに、前記ビデオ・フレームの意図された再生時間に関する情報を提供する手段を含むことを特徴とするエンコーダ。
【請求項３３】  請求項１８に記載のエンコーダにおいて、前記第１のサブセットのビデオ・フレームを符号化する手段は、前記第１のサブセットのビデオ・フレームの連続するビデオ・フレーム間のＢフレームを符号化する手段を含むことを特徴とするエンコーダ。
【請求項３４】  請求項１８に記載のエンコーダにおいて、前記第２のサブセットのビデオ・フレームを符号化する手段は、前記第２のサブセットのビデオ・フレームの連続するビデオ・フレーム間のＢフレームを符号化する手段を含むことを特徴とするエンコーダ。
【請求項３５】  ビデオ・コーデックであって、請求項１８に記載のエンコーダを含むことを特徴とするビデオ・コーデック。
【請求項３６】  マルチメディア・コンテンツ生成システムであって、請求項１８に記載のエンコーダを含むことを特徴とするシステム。
【請求項３７】  マルチメディア端末であって、請求項１８に記載のエンコーダを含むことを特徴とする端末。
【請求項３８】  請求項３７に記載のマルチメディア端末において、前記端末が、無線通信デバイスであることを特徴とする端末。
【請求項３９】  対応するビデオ・フレームの組を回復するために、符号化したビデオ・フレームを復号化するための方法であって、前記符号化したビデオ・フレームの組が、非時間的予測ビデオ・フレーム・フォーマットに符号化した選択されたビデオ・フレーム、および前記選択されたビデオ・フレームを時間的予測の開始位置として用いて請求項１に記載の方法により時間的予測ビデオ・フレーム・フォーマットに符号化したビデオ・フレームを含み、
前記復号化方法が、
非時間的予測フォーマットに符号化した前記選択されたビデオ・フレームを受信し、復号化するステップと、
時間的順序において前記選択されたビデオ・フレームより前に発生するＮ個のビデオ・フレームを表す第１のサブセットの符号化したビデオ・フレームを、前記選択されたビデオ・フレームを時間的予測の開始位置として用い、時間的に逆方向に予測して復号化するステップと、
時間的順序において前記選択されたビデオ・フレームより後に発生するM個のビデオ・フレームを表す第２のサブセットの符号化したビデオ・フレームを、前記選択されたビデオ・フレームを時間的予測の開始位置として用い、時間的に順方向に予測して復号化するステップとを含むことを特徴とする方法。
【請求項４０】  請求項３９に記載の方法において、前記非時間的予測ビデオ・フレーム・フォーマットが、ＩＮＴＲＡフレーム・フォーマットであることを特徴とする方法。
【請求項４１】  請求項３９に記載の方法において、前記第１のサブセットの符号化されたビデオ・フレームをＩＮＴＥＲフレーム・フォーマットに符号化することを特徴とする方法。
【請求項４２】
請求項３９に記載の方法において、前記第１のサブセットの符号化されたビデオ・フレームをＢフレーム・フォーマットに符号化することを特徴とする方法。
【請求項４３】  請求項３９に記載の方法において、前記第２のサブセットの符号化されたビデオ・フレームをＩＮＴＥＲフレーム・フォーマットに符号化することを特徴とする方法。
【請求項４４】  請求項３９に記載の方法において、前記第１のサブセットの符号化されたビデオ・フレームから復号化された連続するビデオ・フレーム間のＢフレームを復号化するステップを含むことを特徴とする方法。
【請求項４５】  請求項３９に記載の方法において、前記第２のサブセットの符号化されたビデオ・フレームから復号化された連続するビデオ・フレーム間のＢフレームを復号化するステップを含むことを特徴とする方法。
【請求項４６】  対応するビデオ・フレームの組を回復するために、符号化したビデオ・フレームの組を復号化するためのデコーダであって、前記符号化したビデオ・フレームの組が、非時間的予測ビデオ・フレーム・フォーマットに符号化した選択されたビデオ・フレーム、および前記選択したビデオ・フレームを時間的予測の開始位置として用いて請求項１に記載の方法により時間的予測ビデオ・フレーム・フォーマットに符号化したビデオ・フレームを含み、
前記デコーダが、
非時間的予測フォーマットに符号化した前記選択されたビデオ・フレームを受信する手段、および復号化する手段と、
時間的順序において前記選択されたビデオ・フレームより前に発生するＮ個のビデオ・フレームを表す第１のサブセットの符号化したビデオ・フレームを、前記選択されたビデオ・フレームを時間的予測の開始位置として用い、時間的に逆方向に予測して復号化する手段と、
時間的順序において前記選択されたビデオ・フレームより後に発生するM個のビデオ・フレームを表す第２のサブセットの符号化したビデオ・フレームを、前記選択されたビデオ・フレームを時間的予測の開始位置として用い、時間的に順方向に予測して復号化する手段と、を含むことを特徴とするデコーダ。
【請求項４７】  ビデオ・コーデックであって、請求項４６に記載のデコーダを含むことを特徴とするビデオ・コーデック。
【請求項４８】  マルチメディア・コンテンツ検索システムであって、請求項４６に記載のデコーダを含むことを特徴とするマルチメディア・コンテンツ検索システム。
【請求項４９】  マルチメディア端末であって、請求項４６に記載のデコーダを含むことを特徴とするマルチメディア端末。
【請求項５０】  請求項４９に記載のマルチメディア端末において、前記マルチメディア端末が、無線通信デバイスであることを特徴とするマルチメディア端末。
【請求項５１】  対応する符号化したビデオ・フレームの組を形成するために、時間的順序を有するビデオ・フレームの組を符号化するためのエンコーダとしてコンピュータを動作させるためのコンピュータ・プログラムであって、符号化される前記ビデオ・フレームは時間的順序を有し、
前記コンピュータ・プログラムが、
前記組の特定のビデオ・フレームに関連する表示であって、前記時間的順序の特定の位置に発生するビデオ・フレームが非時間的予測ビデオ・フレーム・フォーマットに符号化されるものであることと、時間的予測ビデオ・フレーム・フォーマットにおいてフレーム予測の開始位置として使用されるものであることを示す、前記表示を受信するためのコンピュータ・コードと、
前記特定のビデオ・フレームではなく前記非時間的予測ビデオ・フレーム・フォーマットに符号化される前記特定のビデオ・フレーム以外で、前記組のビデオ・フレームを選択するためのコンピュータ・コードと、
前記選択されたビデオ・フレームを前記特定のビデオ・フレームではなく前記非時間的予測ビデオ・フレーム・フォーマットに符号化するためのコンピュータ・コードと、
時間的順序において前記選択されたビデオ・フレームの前に発生する前記組のＮ個のビデオ・フレームを含むビデオ・フレームの第１のサブセットを、前記選択されたビデオ・フレームを時間的予測の開始位置として用いて時間的逆方向予測ビデオ・フレーム・フォーマットに符号化するためのコンピュータ・コードと、
時間的順序において前記選択されたビデオ・フレームの後に発生する前記組のＭ個のビデオ・フレームを含むビデオ・フレームの第２のサブセットを、前記選択されたビデオ・フレームを時間的予測の開始位置として用いて時間的順方向予測ビデオ・フレーム・フォーマットに符号化するためのコンピュータ・コードとを含み、
前記選択されたビデオ・フレームの前記選択は、前記符号化したビデオ・フレームの組の復号化時のエラー伝播の可能性を少なくする、ビデオ・フレームの前記第１および第２のサブセットの各予測経路の長さを提供することを特徴とするコンピュータ・プログラム。
【請求項５２】  請求項５１に記載のコンピュータ・プログラムを含む記憶媒体。
【請求項５３】  対応するビデオ・フレームの組を回復するために、符号化したビデオ・フレームの組を復号化するためのデコーダとしてコンピュータを動作させるためのコンピュータ・プログラムであって、前記符号化したビデオ・フレームの組が、非時間的予測ビデオ・フレーム・フォーマットに符号化した選択されたビデオ・フレーム、および前記選択されたビデオ・フレームを時間的予測の開始位置として用いて請求項１に記載の方法により時間的予測ビデオ・フレーム・フォーマットに符号化したビデオ・フレームを含み、
前記コンピュータ・プログラムが、
非時間的予測フォーマットに符号化した前記選択されたビデオ・フレームを受信し、復号化するためのコンピュータ・プログラム・コードと、
時間的順序において前記選択されたビデオ・フレームより前に発生するＮ個のビデオ・フレームを表す第１のサブセットの符号化したビデオ・フレームを、前記選択されたビデオ・フレームを時間的予測の開始位置として用い、時間的に逆方向に予測して復号化するためのコンピュータ・プログラム・コードと、
時間的順序において前記選択されたビデオ・フレームより後に発生するＭ個のビデオ・フレームを表す第２のサブセットの符号化したビデオ・フレームを、前記選択されたビデオ・フレームを時間的予測の開始位置として用い、時間的に順方向に予測して復号化するためのコンピュータ・プログラム・コードとを含むことを特徴とするコンピュータ・プログラム。
【請求項５４】  請求項５３に記載のコンピュータ・プログラムを含む記憶媒体。
【請求項５５】  符号化したビデオ・フレームの組を表す符号化されたビデオ信号であって、符号化される前記ビデオ・フレームは時間的順序を有し、前記符号化されたビデオ信号は、
前記組の特定のビデオ・フレームに関連する表示であって、前記時間的順序の特定の位置に発生する前記特定のビデオ・フレームが非時間的予測ビデオ・フレーム・フォーマットに符号化されるものであることと時間的予測ビデオ・フレーム・フォーマットにおいてフレーム予測の開始位置として使用されるものであることを示す、前記表示を受信するステップと、
前記特定のビデオ・フレームではなく前記非時間的予測ビデオ・フレーム・フォーマットに符号化される前記特定のビデオ・フレーム以外で、前記組のビデオ・フレームを選択するステップと、
前記選択されたビデオ・フレームを前記特定のビデオ・フレームではなく前記非時間的予測ビデオ・フレーム・フォーマットに符号化するステップと、
時間的順序において前記選択されたビデオ・フレームの前に発生する前記組のＮ個のビデオ・フレームを含むビデオ・フレームの第１のサブセットを、前記選択されたビデオ・フレームを時間的予測の開始位置として用いて時間的逆方向予測ビデオ・フレーム・フォーマットに符号化するステップと、
時間的順序において前記選択されたビデオ・フレームの後に発生する前記組のＭ個のビデオ・フレームを含むビデオ・フレームの第２のサブセットを前記選択されたビデオ・フレームを時間的予測の開始位置として用いて時間的順方向予測ビデオ・フレーム・フォーマットに符号化するステップとにより形成され、
前記選択されたビデオ・フレームの前記選択は、前記符号化したビデオ・フレームの組の復号化時のエラー伝播の可能性を少なくする、ビデオ・フレームの前記第１および第２のサブセットの各予測経路の長さを提供することを特徴とする符号化されたビデオ信号。
【請求項５６】  対応する符号化したビデオ・フレームの組を形成するために、時間的順序を有するビデオ・フレームの組を符号化するための装置であって、前記装置が、
前記組の特定のビデオ・フレームに関連する表示であって、前記時間的順序の特定の位置に発生する前記特定のビデオ・フレームが非時間的予測ビデオ・フレーム・フォーマットに符号化されるものであることと時間的予測ビデオ・フレーム・フォーマットにおいてフレーム予測の開始位置として使用されるものであることを示す、前記表示を受信し、
前記特定のビデオ・フレームではなく前記非時間的予測ビデオ・フレーム・フォーマットに符号化される前記特定のビデオ・フレーム以外で、前記組のビデオ・フレームを選択し、
前記選択されたビデオ・フレームを前記特定のビデオ・フレームではなく前記非時間的予測ビデオ・フレーム・フォーマットに符号化し、
時間的順序において前記選択されたビデオ・フレームの前に発生する前記組のＮ個のビデオ・フレームを含むビデオ・フレームの第１のサブセットを、前記選択されたビデオ・フレームを時間的予測の開始位置として用いて時間的逆方向予測ビデオ・フレーム・フォーマットに符号化し、
時間的順序において前記選択されたビデオ・フレームの後に発生する前記組のＭ個のビデオ・フレームを含むビデオ・フレームの第２のサブセットを、前記選択されたビデオ・フレームを時間的予測の開始位置として用いて時間的順方向予測ビデオ・フレーム・フォーマットに符号化するように構成され、
前記選択されたビデオ・フレームの前記選択は、前記符号化したビデオ・フレームの組の復号化時のエラー伝播の可能性を少なくする、ビデオ・フレームの前記第１および第２のサブセットの各予測経路の長さを提供することを特徴とする装置。
【請求項５７】  対応する符号化したビデオ・フレームの組を形成するために、時間的順序を有するビデオ・フレームの組を符号化するための装置であって、前記装置が、
前記組の特定のビデオ・フレームに関連する表示であって、前記時間的順序の特定の位置に発生する前記特定のビデオ・フレームが非時間的予測ビデオ・フレーム・フォーマットに符号化されるものであることと時間的予測ビデオ・フレーム・フォーマットにおいてフレーム予測の開始位置として使用されるものであることを示す、前記表示を受信するように構成されるユニットと、
前記特定のビデオ・フレームではなく前記非時間的予測ビデオ・フレーム・フォーマットに符号化される前記特定のビデオ・フレーム以外で、前記組のビデオ・フレームを選択するように構成される選択ユニットと、
前記選択されたビデオ・フレームを前記特定のビデオ・フレームではなく前記非時間的予測ビデオ・フレーム・フォーマットに符号化するように構成されるエンコーダと、
時間的順序において前記選択されたビデオ・フレームの前に発生する前記組のＮ個のビデオ・フレームを含むビデオ・フレームの第１のサブセットを、前記選択されたビデオ・フレームを時間的予測の開始位置として用いて時間的逆方向予測ビデオ・フレーム・フォーマットに符号化するように構成されるエンコーダと、
時間的順序において前記選択されたビデオ・フレームの後に発生する前記組のＭ個のビデオ・フレームを含むビデオ・フレームの第２のサブセットを、前記選択されたビデオ・フレームを時間的予測の開始位置として用いて時間的順方向予測ビデオ・フレーム・フォーマットに符号化するように構成されるエンコーダとを含み、
前記選択されたビデオ・フレームの前記選択は、前記符号化したビデオ・フレームの組の復号化時のエラー伝播の可能性を少なくする、ビデオ・フレームの前記第１および第２のサブセットの各予測経路の長さを提供することを特徴とする装置。
【請求項５８】  対応するビデオ・フレームの組を回復するために、符号化したビデオ・フレームを復号化するための装置であって、前記符号化したビデオ・フレームの組が、非時間的予測ビデオ・フレーム・フォーマットに符号化した選択されたビデオ・フレーム、および前記選択されたビデオ・フレームを時間的予測の開始位置として用いて請求項１に記載の符号化方法により時間的予測ビデオ・フレーム・フォーマットに符号化したビデオ・フレームを含み、
前記装置が、
非時間的予測フォーマットに符号化した前記選択されたビデオ・フレームを受信し、復号化するように構成されるデコーダと、
時間的順序において前記選択されたビデオ・フレームより前に発生するN個のビデオ・フレームを表す第１のサブセットの符号化したビデオ・フレームを、前記選択されたビデオ・フレームを時間的予測の開始位置として用い、時間的に逆方向に予測して復号化するように構成されるデコーダと、
時間的順序において前記選択されたビデオ・フレームより後に発生するM個のビデオ・フレームを表す第２のサブセットの符号化したビデオ・フレームを、前記選択されたビデオ・フレームを時間的予測の開始位置として用い、時間的に順方向に予測して復号化するように構成されるデコーダとを含むことを特徴とする装置。
【請求項５９】  対応するビデオ・フレームの組を回復するために、符号化したビデオ・フレームを復号化するための装置であって、前記符号化したビデオ・フレームの組が、非時間的予測ビデオ・フレーム・フォーマットに符号化した選択されたビデオ・フレーム、および前記選択されたビデオ・フレームを時間的予測の開始位置として用いて請求項１に記載の方法により時間的予測ビデオ・フレーム・フォーマットに符号化したフレームを含み、
前記装置が、
非時間的予測フォーマットに符号化した前記選択されたビデオ・フレームを受信し、復号化し、
時間的順序において前記選択されたビデオ・フレームより前に発生するN個のビデオ・フレームを表す第１のサブセットの符号化したビデオ・フレームを、前記選択されたビデオ・フレームを時間的予測の開始位置として用い、時間的に逆方向に予測して復号化し、
時間的順序において前記選択されたビデオ・フレームより後に発生するM個のビデオ・フレームを表す第２のサブセットの符号化したビデオ・フレームを、前記選択されたビデオ・フレームを時間的予測の開始位置として用い、時間的に順方向に予測して復号化するように構成されていることを特徴とする装置。